(57)【要約】  各マルチキャスト／ブロードキャストサービスのためのシグナリングが、グループページメッセージにおいて、無線デバイスに割り当てられたＰＣＨスロット、またはサービスに使用するために指定されたＰＣＨスロット、あるいはこの両者において送られる。各グループページメッセージは、サービスのための識別子を含んでいる。異なるサービスのための指定されたＰＣＨスロットは、無線デバイスがページメッセージを受信するために起きる必要のある回数を低減するためにオーバーラップするか、サービス間の衝突を低減するために互い違いに配置され得る。無線デバイスは、無線デバイスに割り当てられたページングインジケータ、またはサービスに割り当てられたブロードキャストインジケータ、あるいはこの両者の使用によって、所与のサービスのためにＰＣＨ上で送られたグループページメッセージについて知らされ得る。ページングインジケータは、無線デバイスに割り当てられたＱＰＣＨスロット、またはサービスに使用するために指定されたＱＰＣＨスロット、あるいはこの両者において送られ得る。ＢＩビットは、指定されたＱＰＣＨスロット上で送られる。【選択図】    図２Ｂ
2007520979.tif 000002
【特許請求の範囲】
【請求項１】
通信システムにおいてシグナリングを送信する方法であって、
サービスを受信している複数の無線デバイスのためのページングインジケータの位置を判断することと、
サービスのために送られているページメッセージを示すページングインジケータを送信することと、
サービスのためのページメッセージを複数の無線デバイスへ送信することとを含む方法。
【請求項２】
サービスのための識別子をもつページメッセージを形成することをさらに含む請求項１記載の方法。
【請求項３】
ページングインジケータを送信することが、複数の無線デバイスの各々のためのページングインジケータを、無線デバイスに割り当てられたスロットにおいて送信することを含む請求項１記載の方法。
【請求項４】
ページングインジケータを送信することが、複数の無線デバイスの全てのためのページングインジケータを、サービスのための指定されたスロットにおいて送信することを含む請求項１記載の方法。
【請求項５】
サービスが、各スロットサイクル内の多数の指定されたスロットと関係付けられ、ページングインジケータを送信することが、複数の無線デバイスの各々のためのページングインジケータを、無線デバイスに割り当てられたスロットの最も近くに続く指定されたスロットにおいて送信することを含む請求項１記載の方法。
【請求項６】
ページメッセージを送信することが、ページメッセージを複数の無線デバイスの各々へ、無線デバイスに割り当てられたスロットにおいて送信することを含む請求項１記載の方法。
【請求項７】
ページメッセージを送信することが、ページメッセージを複数の無線デバイスの全てへ、サービスのための指定されたスロットにおいて送信することを含む請求項１記載の方法。
【請求項８】
ページメッセージを送信することが、ページメッセージを、サービスのための多数の指定されたスロットにおいて送信することを含む請求項１記載の方法。
【請求項９】
通信システムにおける装置であって、
サービスを受信している複数の無線デバイスのためのページングインジケータの位置を判断するように動作する制御装置と、
サービスのために送られるページメッセージを示すページングインジケータを送信し、サービスのためのページメッセージを複数の無線デバイスへ送信するように動作する送信機ユニットとを含む装置。
【請求項１０】
送信機ユニットが、複数の無線デバイスの各々のためのページングインジケータを、無線デバイスに割り当てられたスロットにおいて送信するように動作する請求項９記載の装置。
【請求項１１】
送信機ユニットが、複数の無線デバイスのためのページングインジケータを、サービスのための少なくとも１つの指定されたスロットにおいて送信するように動作する請求項９記載の装置。
【請求項１２】
送信機ユニットが、ページメッセージを複数の無線デバイスの各々へ、無線デバイスに割り当てられたスロットにおいて送信するように動作する請求項９記載の装置
【請求項１３】
送信機ユニットが、ページメッセージを複数の無線デバイスへ、サービスのための少なくとも１つの指定されたスロットにおいて送信するように動作する請求項９記載の装置。
【請求項１４】
通信システムにおける装置であって、
サービスを受信している複数の無線デバイスのためのページングインジケータの位置を判断する手段と、
サービスのために送られるページメッセージを示すページングインジケータを送信する手段と、
サービスのためのページメッセージを複数の無線デバイスへ送信する手段とを含む装置。
【請求項１５】
ページングインジケータを送信する手段が、複数の無線デバイスの各々のためのページングインジケータを、無線デバイスに割り当てられたスロットにおいて送信する手段を含む請求項１４記載の装置。
【請求項１６】
ページングインジケータを送信する手段が、複数の無線デバイスのためのページングインジケータを、サービスのための少なくとも１つの指定されたスロットにおいて送信する手段を含む請求項１４記載の装置。
【請求項１７】
ページメッセージを送信する手段が、ページメッセージを複数の無線デバイスの各々へ、無線デバイスに割り当てられたスロットにおいて送信する手段を含む請求項１４記載の装置。
【請求項１８】
ページメッセージを送信する手段が、ページメッセージを複数の無線デバイスへ、サービスのための少なくとも１つの指定されたスロットにおいて送信する手段を含む請求項１４記載の装置。
【請求項１９】
通信システムにおいてシグナリングを送信する方法であって、
サービスのためのブロードキャストインジケータの位置を判断することであって、システムにおいて使用するために使用可能なブロードキャストインジケータの数が、ｃｄｍａ２０００の改訂Ｄによって指示されているブロードキャストインジケータの数よりも多いことと、
サービスのために送られたページメッセージを示すブロードキャストインジケータを送信することと、
サービスのためのページメッセージを複数の無線デバイスへ送信することとを含む方法。
【請求項２０】
サービスのためのブロードキャストインジケータの位置を判断することが、
ブロードキャストインジケータに使用可能な所定数の位置の中で、擬似ランダムな位置へサービスをマップすることを含む請求項１９記載の方法。
【請求項２１】
サービスのためのブロードキャストインジケータの位置を判断することが、
ブロードキャストインジケータに使用可能な所定数の位置の中で、固定の位置へサービスをマップすることを含む請求項１９記載の方法。
【請求項２２】
サービスのためのブロードキャストインジケータの位置を判断することが、
ページングインジケータおよびブロードキャストインジケータに使用可能な全ての位置の中で、擬似ランダムな位置へサービスをマップすることを含む請求項１９記載の方法。
【請求項２３】
少なくとも１つの基準に基づいて使用するために使用可能なブロードキャストインジケータの数を選択することをさらに含む請求項１９記載の方法。
【請求項２４】
複数のサービスをオーバーラップしているスロットに割り当てて、複数のサービスのためのページメッセージのために処理するスロット数を低減することをさらに含む請求項１９記載の方法。
【請求項２５】
複数のサービスを異なるスロットに割り当てて、複数のサービス間の衝突を低減することをさらに含む請求項１９記載の方法。
【請求項２６】
ブロードキャストインジケータを送信することが、ブロードキャストインジケータを、サービスのための指定されたスロットにおいて送信することを含む請求項１９記載の方法。
【請求項２７】
ページメッセージを送信することが、ページメッセージを、サービスのための指定されたスロットにおいて送信することを含む請求項１９記載の方法。
【請求項２８】
通信システムにおける装置であって、
サービスのためのブロードキャストインジケータの位置を判断する手段であって、システムにおいて使用するために使用可能なブロードキャストインジケータの数が、ｃｄｍａ２０００の改訂Ｄによって指示されているブロードキャストインジケータの数よりも多い手段と、
サービスのために送られたページメッセージを示すブロードキャストインジケータを送信する手段と、
サービスのためのページメッセージを複数の無線デバイスへ送信する手段とを含む装置。
【請求項２９】
サービスのためのブロードキャストインジケータの位置を判断する手段が、
ブロードキャストインジケータに使用可能な所定数の位置の中で、擬似ランダムな位置または固定の位置へサービスをマップする手段を含む請求項２８記載の装置。
【請求項３０】
サービスのためのブロードキャストインジケータの位置を判断する手段が、
ページングインジケータおよびブロードキャストインジケータのために使用可能な全ての位置の中で、擬似ランダムな位置へサービスをマップすることを含む請求項２８記載の装置。
【請求項３１】
複数のサービスをオーバーラップしているスロットに割り当てて、複数のサービスのためのページメッセージのために処理するスロット数を低減する手段をさらに含む請求項２８記載の装置。
【請求項３２】
複数のサービスを異なるスロットに割り当てて、複数のサービス間の衝突を低減する手段をさらに含む請求項２８記載の装置。
【請求項３３】
通信システムにおいてシグナリングを受信する方法であって、
無線デバイスのためのページングインジケータの位置を判断することと、
所定の位置におけるページングインジケータを処理して、ページメッセージが、その無線デバイスおよび少なくとも１つの他の無線デバイスによって受信されるサービスのために潜在的に送られているかどうか確認することと、
ページングインジケータが、ページメッセージが潜在的に送られていることを示すときは、ページングチャネルを処理して、サービスのためのページメッセージを探すこととを含む方法。
【請求項３４】
無線デバイスに割り当てられたスロットにおけるページングインジケータを受信することをさらに含む請求項３３記載の方法。
【請求項３５】
サービスのための指定されたスロットにおけるページングインジケータを受信することをさらに含む請求項３３記載の方法。
【請求項３６】
無線デバイスに割り当てられたスロットにおけるページングチャネルを処理することをさらに含む請求項３３記載の方法。
【請求項３７】
サービスのための指定スロットにおけるページングチャネルを処理することをさらに含む請求項３３記載の方法。
【請求項３８】
通信システムにおいてシグナリングを受信する方法であって、
複数の無線デバイスによって受信されているサービスのためのブロードキャストインジケータの位置を判断することであって、システムにおいて使用するために使用可能なブロードキャストインジケータの数が、ｃｄｍａ２０００の改訂Ｄによって指示されているブロードキャストインジケータの数よりも多いことと、
所定の位置におけるブロードキャストインジケータを処理して、ページメッセージがサービスのために潜在的に送られているかどうかを確認することと、
ページングインジケータが、ページメッセージが潜在的に送られていることを示すときは、ページングチャネルを処理して、サービスのためのページメッセージを探すこととを含む方法。
【請求項３９】
サービスのための指定スロットにおいてブロードキャストインジケータを受信することをさらに含む請求項３８記載の方法。
【請求項４０】
サービスのための指定スロットにおけるページングチャネルを処理することをさらに含む請求項３８記載の方法。
【請求項４１】
通信システムにおいてインジケータを送信する方法であって、
少なくとも１つのページメッセージが送られる少なくとも１つのサービスを識別することと、
複数の可能なインジケータ値の中から、少なくとも１つのサービスに対応するインジケータ値を選択することと、
選択されたインジケータ値を送信して、少なくとも１つのページメッセージが少なくとも１つのサービスのために送られていることを示すこととを含む方法。
【請求項４２】
複数の可能なインジケータ値の１つが、多数のグループのサービスのために送られるページメッセージに対応し、複数の可能なインジケータ値の残りの各々が、各グループのサービスのために送られる少なくとも１つのページのメッセージに対応する請求項４１記載の方法。
【請求項４３】
１つのインジケータ値が、オンにされるページングインジケータとして検出可能であり、残りのインジケータ値の各々が、オフにされるページングインジケータとして検出可能であるように、複数の可能なインジケータ値を形成することをさらに含む請求項４１記載の方法。
【請求項４４】
通信システムにおける装置であって、
少なくとも１つのページのメッセージが送られる少なくとも１つのサービスを識別する手段と、
複数の可能なインジケータ値の中から、少なくとも１つのサービスに対応するインジケータ値を選択する手段と、
少なくとも１つのページメッセージが少なくとも１つのサービスのために送られることを示す選択されたインジケータ値を送信する手段とを含む装置。
【請求項４５】
１つのインジケータ値が、オンにされるページングインジケータとして検出可能であり、残りのインジケータ値の各々が、オフにされるページングインジケータとして検出可能であるように、複数の可能なインジケータ値を形成する手段をさらに含む請求項４４記載の装置。
【発明の詳細な説明】
【技術分野】
【０００１】
米国特許法第１１９条のもとでの優先権の主張
本特許出願は、２００４年２月４日に出願され、本発明の譲受人に譲渡され、それによって本明細書において参照によって明示的に取り入れられている仮出願第６０／５４２，０６３号（“Method and Apparatus for Reducing Signaling Overhead and Delay Associated With Group Notification Supporting Multiple Broadcast Services”）に対して優先権を主張している。
【０００２】
本発明は、概ね、通信システム、より具体的には、マルチキャストおよびブロードキャストサービスを支援する通信システムに関する。
【背景技術】
【０００３】
通信システムは、ユニキャスト、マルチキャスト、および／またはブロードキャストサービスを与え得る。ユニキャストサービスは、少なくとも１つの基地局と特定の無線デバイスとの間にポイント ツウ ポイント通信を与える。マルチキャストサービスは、少なくとも１つの基地局と無線デバイスのグループとの間にポイント ツウ マルチポイント通信を与える。ブロードキャストサービスは、少なくとも１つの基地局と、指定されたブロードキャスト領域内の全無線デバイスとの間にポイント ツウ マルチポイント通信を与える。マルチキャストおよびブロードキャストサービスのいくつかの例は、プッシュトーク(push-to-talk, PTT)、ニュースおよびデータサービス、加入に基づくサービス、等を含む。マルチキャストおよびブロードキャストサービスは、データを無線デバイスへ散発的に、周期的に、または連続的に送り得る。
【０００４】
無線デバイスは、システム内の１つ以上の基地局とデータをアクティブに交換していないときは、アイドル状態で動作し得る。アイドル状態において、無線デバイスは、通常、無線デバイスに適切なメッセージのためのページングチャネル(paging channel, PCH)を監視する。このようなメッセージは、着信呼があるときに無線デバイスに知らせるページメッセージ、無線デバイスによって受信されるマルチキャストまたはブロードキャスト、あるいはこの両者のサービスのためのシグナリングを保持するページメッセージ、および無線デバイスのための他の情報およびシステムを保持するオーバーヘッドメッセージを含み得る。アイドルモード中のバッテリ電力を節約するために、無線デバイスは、スロットモードで動作することができ、それによって（１）システムは、メッセージを無線デバイス指定時間においてのみ送り、（２）無線デバイスは、ＰＣＨを（連続的にではなく）メッセージのための指定時間において定期的に監視する。アイドルモード中の電力消費をさらに低減するために、ページメッセージがＰＣＨ上で無線デバイスへ送られ得るかを示すのに、高速ページングチャネル(quick paging channel, QPCH)がしばしば使用される。ＱＰＣＨは、二値のオン／オフビットとして送信されるページングインジケータ（paging indicator）(またはＰＩビット)を保持する。無線デバイスは、ある特定のＰＩビットを割り当てられ、これは、任意のメッセージがＰＣＨ上で無線デバイスへ送られるときにオンにされる。無線デバイスは、ＰＩビットを迅速に検出し、ＰＩビットが、メッセージがＰＣＨ上で無線デバイスへ送られないことを示すときは、ＰＣＨを処理せずに、直ちにスリープに入ることができる。
【発明の開示】
【発明が解決しようとする課題】
【０００５】
システムは、マルチキャストおよびブロードキャストサービスを支援するために、および標準のシステム動作のために、多くのページメッセージを送ることが必要であり得る。これらのページメッセージを可能な限り迅速に、最小量のシステム資源を使用して送ることが望ましい。さらに加えて、無線デバイスが、過剰にバッテリ電力を消費せずに、適切なメッセージの全てを受信できるように、これらのページメッセージを送ることが望ましい。
【０００６】
したがって、当技術において、マルチキャストおよびブロードキャストサービスのために、ページメッセージを効率的に送る技術が必要とされている。
【課題を解決するための手段】
【０００７】
マルチキャストおよびブロードキャストサービスのためのシグナリングを、シグナリングのオーバーヘッドおよび遅延を低減し、かつ受信のためのバッテリ電力を節約するように、送信する技術が、本明細書に記載されている。各サービスのシグナリングは、サービスのための識別子(例えば、ＦＬＯＷ ＩＤ)を含むグループページメッセージで送られ得る。これらのグループページメッセージを、サービスを受信する多数の無線デバイスへ送り、送るためのページメッセージ数を低減することができる。グループページメッセージは、無線デバイスに割り当てられたＰＣＨスロット、またはサービスのための使用に指定されたＰＣＨスロット、あるいはこの両者において送られ得る。異なるサービスのための指定されたＰＣＨスロットは、別途記載されるように、（１）無線デバイスがこれらのサービスのためのページメッセージを受信するために起きる必要のある回数を低減するためにオーバーラップさせられるか、または（２）サービス間の衝突の可能性を低減するために互い違いに配置され得る。
【０００８】
無線デバイスは、無線デバイスに割り当てられたページングインジケータ(paging indicator)(ＰＩビット)、またはサービスに割り当てられたブロードキャストインジケータ(broadcast indicator)(ＢＩビット)、あるいはこの両者の使用によって、所与のサービスのためにＰＣＨ上で送られるグループページメッセージについて知され得る。ＰＩビットは、無線デバイスに割り当てられたＱＰＣＨスロット、またはサービスのための使用に指定されたＱＰＣＨスロットにおいて送られ得る。ＢＩビットは、通常、指定されたＱＰＣＨスロット上で送られる。
【０００９】
ＱＰＣＨおよびＰＣＨを使用してシグナリングを送信する種々の方式が、別途記載される。これらの方式は、ＱＰＣＨ上でＢＩビットおよび／またはＰＩビットを、ＰＣＨ上でグループページメッセージを異なるやり方で送信し、異なるタイプのサービスおよびサービスの組合せに適する。本発明の種々態様および実施形態も、さらに詳しく別途記載される。
【発明を実施するための最良の形態】
【００１０】
“例示的”という用語は、本明細書において“例、事例、または実例としての役割を果たす”ことを意味するために使用されている。本明細書に記載されている何れの実施形態も、必ずしも、他の実施形態よりも好ましいまたは好都合であると解釈されると限らない。
【００１１】
図１は、マルチキャストおよびブロードキャストサービスを支援することができる通信システム100を示している。システム100は、多数の無線デバイス110のための無線通信を支援する多数の無線アクセスネットワーク(radio access network, RAN)120を含んでいる。無線デバイスは、固定型であっても、または移動型であってもよく、移動局(mobile station, MS)、ユーザ装置(user equipment, UE)、ユーザ端末、ハンドセット、加入者ユニット、または何か他の用語でも呼ばれ得る。各ＲＡＮ120は、通常、多数の基地局、基地局制御装置(base station controller, BSC)、および移動交換局(mobile switching center, MSC)を含む。単純にするために、図１の各ＲＡＮ120に対して、１つの基地局122と１つのＢＳＣ／ＭＳＣ124のみが示されている。基地局は、通常、無線デバイスと通信する固定局であり、ベーストランシーバーシステム(base transceiver system, BTS)、ノードＢ、アクセスポイント、または何か他の用語でも呼ばれ得る。各基地局122は、個々の地理的領域のための通信可能範囲を与える。ＢＳＣ／ＭＳＣ124は、基地局に接続し、これらの基地局を調整および制御する。
【００１２】
各ＲＡＮ120のＢＳＣ／ＭＳＣ124は、パケットデータ供給ノード(packet data serving node, PDSN)126に接続し、ＰＤＳＮ126は、データネットワーク130にも接続する。ＰＤＳＮ126は、無線デバイスにパケットデータサービスを提供し、データ呼のセットアップ、保守、および終了のための種々の機能を行なう。コンテンツサーバ132および加入マネージャ134のような、種々のネットワークエンティティは、データネットワーク130に接続され得る。コンテンツサーバ132は、マルチキャストまたはブロードキャスト、あるいはこの両者のサービスを提供する。加入マネージャ134は、マルチキャストまたはブロードキャスト、あるいはこの両者のサービスのための認証、認可、および会計(authentication, authorization, and accounting, AAA)機能を行なう。図１には示されていないが、各ＲＡＮ120のＢＳＣ／ＭＳＣ124は、他のシステムおよびネットワーク、例えば、アナログ音声呼を乗せる回線交換電話網である公衆交換電話網(public switched telephone network, PSTN)にも接続し得る。
【００１３】
各ＲＡＮ120は、符号分割多元接続(Code Division Multiple Access, CDMA)ネットワーク、時分割多元接続(Time Division Multiple Access, TDMA)ネットワーク、周波数分割多元接続(Frequency Division Multiple Access, FDMA)ネットワーク、直交周波数分割多元接続(Orthogonal Frequency Division Multiple Access, OFDMA)ネットワーク、または何か他の多元接続ネットワークであり得る。ＣＤＭＡネットワークは、ｃｄｍａ２０００および広帯域ＣＤＭＡ(Wideband-CDMA, W-CDMA)のような、１つ以上のＣＤＭＡ無線アクセス技術(radio access technology, RAT)を実施し得る。ｃｄｍａ２０００は、ＩＳ−２０００、ＩＳ−８５６、およびＩＳ−９５標準をカバーする。ＴＤＭＡシステムは、グローバルシステムフォーモバイル通信(Global System for Mobile Communications, GSM)のような、１つ以上のＴＤＭＡのＲＡＴを実施し得る。これらの種々のＲＡＴおよび標準は、当技術において周知である。Ｗ−ＣＤＭＡおよびＧＳＭは、“第三世代パートナーシッププロジェクト”(3rd Generation Partnership Project, 3GPP)という名称のコンソーシアムからの文献に記載されている。ｃｄｍａ２０００は、“第三世代パートナーシッププロジェクト２”(3rd Generation Partnership Project 2, 3GPP2)という名称のコンソーシアムからの文献に記載されている。３ＧＰＰおよび３ＧＰＰ２の文献は、公けに入手可能である。
【００１４】
分かり易くするために、後述では、シグナリング送信技術がｃｄｍａ２０００について具体的に記載される。これらの技術は、ｃｄｍａ２０００の改訂Ｄに記載されているブロードキャスト−マルチキャストサービス(Broadcast-Multicast Service, BCMCS)にも使用され得る。
【００１５】
図２Ａは、ｃｄｍａ２０００におけるＱＰＣＨおよびＰＣＨを示している。ＰＣＨは、ページメッセージをアイドルの無線デバイスに送るのに使用される。アイドルの無線デバイスとは、システムに登録していて、アイドルモードの無線デバイスである。ＱＰＣＨは、ＰＣＨのためのインジケータを送るのに使用される。ＱＰＣＨは、ｃｄｍａ２０００において、ブロードキャスト制御チャネル(broadcast control channel, BCCH)および順方向共通制御チャネル(forward common control channel, FCCCH)にも使用され得る。ＱＰＣＨおよびＰＣＨは、アイドルの無線デバイスが、ページメッセージを受信するために、短い時間部分の間においてアクティブであることのみを必要とするように設計されている。
【００１６】
ｃｄｍａ２０００では、ＰＣＨは、ＰＣＨスロットに分割される。各ＰＣＨスロットは、８０ミリ秒(milliseconds, ms)の継続期間をもち、４つの２０ミリ秒のフレームへさらに分割される。各無線デバイスは、ＴＳＣ ｘ秒の各スロットサイクルにおいて、１つのＰＣＨスロットを割り当てられる。なお、ＴＳＣ ｘ＝１．２８×２ＳＣＩ ｘであり、ＳＣＩ ｘは、無線デバイスに適切なスロットサイクルの指標(slot cycle index, SCI)である。ＳＣＩは、−４ないし＋７の範囲にわたり、スロットサイクルは、８０ミリ秒ないし１６３．８４秒の範囲にわたることができる。各スロットサイクルは、１６×２ＳＣＩＰＣＨスロットを含み、１ないし１６×２ＳＣＩの指標(またはオフセット)を割り当てられる。各無線デバイスは、無線デバイスの識別情報によって判断される特定のＰＣＨスロットの指標を割り当てられる。この識別情報は、各無線デバイスに固有の国際的な移動体加入者識別子(International Mobile Subscriber Identifier, IMSI)、移動体識別番号(Mobile Identification Number, MIN)、電子通し番号(Electronic Serial Number, ESN)、暫定的な移動体加入者ＩＤ(Temporary Mobile Subscriber ID, TMSI)、等であり得る。各無線デバイスのためのスロット指標は固定されていて、無線デバイスは、各スロットサイクル内の、そのスロット指標をもつＰＣＨスロットを処理する。２つ以上の無線デバイスが、何れかの所与のスロット指標に割り当てられ得る。
【００１７】
ｃｄｍａ２０００において、ＱＰＣＨは、ＱＰＣＨスロットに分割される。各ＱＰＣＨスロットも、８０ミリ秒の継続期間をもち、通常は、ＱＰＣＨスロットの開始から１００ミリ秒後に始まる１つのＰＣＨスロットと関係付けられる。各ＱＰＣＨスロットは、Ａ、Ｂ、Ａ’，およびＢ’のように示された４つのフレームへさらに分割される。各フレームは、９６００ビット／秒(bits/second, bps)のレートにおいて１９２個のインジケータ、および４８００ｂｐｓのレートにおいて９６個のインジケータを保持している。
【００１８】
図２Ｂは、ＱＰＣＨにおいて送られる、異なるタイプのインジケータを示している。９６００ｂｐｓのレートでは、ＡおよびＢのフレーム内の最初の３７６個のインジケータは、ページングインジケータ(またはＰＩビット)であり、次の４つのインジケータは、ブロードキャストインジケータ(またはＢＩビット)であり、最後の４つのインジケータは、構成変更インジケータ（configuration change indicator）(またはＣＣＩビット)である。４８００ｂｐｓのレートでは、ＡおよびＢフレーム内の最初の１８８個のインジケータは、ＰＩビットであり、次の２つのインジケータは、ＢＩビットであり、最後の２つのインジケータは、ＣＣＩビットである。Ａ’およびＢ’のフレームは、ＡおよびＢのフレームと同数のＰＩ、ＢＩ、およびＣＣＩビットを含んでいる。各インジケータは、オン／オフキーイング(On/Off keying, OOK)で送信され、したがって、オフビットの‘０’ビット値は、ゼロの電力で送信され、オンビットの‘１’ビット値は、指定された電力レベルで送信される。
【００１９】
システムに登録した各無線デバイスは、各割り当てられたＱＰＣＨスロットごとに、２ＰＩビットを割り当てられる。割り当てられたＱＰＣＨスロットは、割り当てられたＰＣＨスロットの１００ミリ秒前に始まるＱＰＣＨスロットである。ＱＰＣＨスロット内の各割り当てられたＰＩビットの位置は、ハッシング機能によって判断され、ビットごとに変わり、他の無線デバイスとの衝突をランダム化する。（１）第１のＰＩビットがフレームＡにおいて送られ、第２のＰＩビットがフレームＡ’において送られるか、または（２）第１のＰＩビットがフレームＢにおいて送られ、第２のＰＩビットがフレームＢ’において送られるように、各割り当てられたＱＰＣＨスロットのための割り当てられたＰＩビットの対が送られる。この送信方式は、２つのＰＩビットが、少なくとも２０ミリ秒離れ、第２のＰＩビットが、関係付けられたＰＣＨスロットの開始の少なくとも２０ミリ秒前に到達することを保証する。ＱＰＣＨは、ＰＣＨの制御チャネルのように機能する。各ＱＰＣＨスロット内のＰＩビットは、ページメッセージが、関係付けられたＰＣＨスロット内で送られるところであることを、無線デバイスに知らせる制御信号である。
【００２０】
ページメッセージを無線デバイスへＰＣＨ上で送るために、基地局は、無線デバイスに割り当てられたＱＰＣＨスロット内の両者のＰＩビットをオンにする。２つ以上の無線デバイスは、何れの所与のＰＩビットにもマップし得るので、割り当てられたＰＩビットをオンとして検出することは、無線デバイスが関係付けられたＰＣＨスロット内のページメッセージを実際に受信することになることを保証しない。しかしながら、無線デバイスは、オフとして検出されたＰＩビットを、無線デバイスがページメッセージのための関係付けられたＰＣＨスロットを処理する必要がないことを意味すると解釈し得る。次に、無線デバイスは、ＰＩビットを処理した後で、ＰＣＨを処理せずに、電力を落とし、電力を節約し得る。
【００２１】
ＱＰＣＨおよびＰＣＨは、種々のマルチキャストおよびブロードキャストサービスのためのシグナリングを送るのに使用され得る。これらのサービスは、次のように、２つのタイプに分類され得る。
【００２２】
・タイプＩのサービス−主として構成変更を示すシグナリングを送るサービス(例えば、ビデオブロードキャストサービス)を含む。タイプ−Ｉのサービスのためのコンテンツサーバは、構成変更をスロットサイクルの境界と同期させ、長いスロットサイクルを使用できるようにし得る。例えば、タイプ−Ｉのサービスのための構成情報は、ｉのＳＣＩをもつブロードキャスト システム パラメータ メッセージ(Broadcast System Parameters Message, BSPM)において定期的に送られ、構成変更は、ｊのＳＣＩをもつＢＳＰＭにおいて定期的に送られ得る。なお、ｊ＞ｉである。
【００２３】
・タイプＩＩのサービス−短いページング遅延を要求するサービス(例えば、プッシュトーク)を含む。小さいＳＣＩをもつ短いスロットサイクルは、タイプＩＩのサービスに使用され得る。
【００２４】
異なるサービスは、異なるシグナリング要件をもち、シグナリング要件は、シグナリングがこれらのサービスにおいて送られるべき様式を規定し得る。例えば、プッシュトークサービスは、１つの無線デバイスのユーザが話したいときは必ず、特定のグループ内の全無線デバイスを呼び出す必要があり得る。別の例として、ブロードキャストサービスは、構成変更があるときは必ず、更新された構成情報を送る必要があり得る。各サービスは、スロットサイクル、したがってシグナリングがサービスのために送られ得るレートを判断する個々のＳＣＩと関係付けられ得る。各サービスは、識別子、例えば、ＦＬＯＷ ＩＤによって固有に識別され得る。
【００２５】
各サービスのためのシグナリングは、個別のページメッセージ、グループページメッセージ、または両者の組合せを使用して、そのサービスを受信している全無線デバイスへ送られ得る。個別のページメッセージは、特定の無線デバイスに、その無線デバイスの識別子(例えば、２４ビットの移動体のＩＤ)を使用して、アドレス指定されるページメッセージである。グループページメッセージは、ブロードキャスト識別子を使用して、無線デバイスのグループにアドレス指定されるページメッセージである。例えば、異なるサービスのＦＬＯＷ ＩＤは、異なるブロードキャスト識別子にマップされ得る。個別のページメッセージは、ｃｄｍａ２０００において、ジェネラルページメッセージ(General Page Message, GPM)、ユニバーサルページメッセージ(Universal Page Message, UPM)、または何か他のメッセージを使用して送られ得る。グループページメッセージは、ｃｄｍａ２０００において、データバーストメッセージ(Data Burst Message, DBM)または何か他のメッセージを使用して送られ得る。
【００２６】
ページメッセージは、次の目標を達成するように送られ得る。
【００２７】
１．各無線デバイスが、ページメッセージのためのＱＰＣＨおよびＰＣＨを処理するために起きる必要のある回数を最小化する。
【００２８】
２．全サービスの全受信無線デバイスにページメッセージを送るために費やされるシステム資源の量を最小化する。
【００２９】
３．とくにタイプＩＩのサービスにおける、ページング遅延を最小化する。
【００３０】
第１の目標は、ページメッセージを受信する電力消費を最小化することを試みて、バッテリ寿命および待機時間が、無線デバイスのために延ばされ得るようにする。この目標は、可能な限り少ないＱＰＣＨのインジケータを送るか、または時間的に互いに近いインジケータを送るか、あるいはこの両者によって達成されることができ、その結果、無線デバイスは、これらのインジケータを受信するために、しばしば起きる必要はない。インジケータは、衝突の確率を低減するようなやり方でも送られ得る。衝突は、例えば、２つ以上のサービスが同じインジケータにマップするときに生じる。１つのみのサービスがインジケータをオンにし得るとしても、これらのインジケータがオンにされると、これらのサービスの何れか１つを受信している全無線デバイスが、ＰＣＨを処理し、これらのサービスのためのページメッセージを探すことになるであろう。したがって、衝突が生じ、幾つかの無線デバイスが、ページメッセージがこれらの無線デバイスに送られていないときに、ＰＣＨを処理することになる。
【００３１】
第２の目標では、ページメッセージを送るためのシステム資源の使用を最小化することを試みる。この目標は、例えば、個別のページメッセージではなく、グループページメッセージを使用して、可能な限り少ないページメッセージを送ることによって達成され得る。
【００３２】
ページングの遅延は、基地局が送るための情報をもつときから、情報を含んでいるページメッセージが実際に送られるときまでの時間量を指す。タイプＩのサービスは、ページング遅延に対してより寛容であり、一方で、タイプＩＩのサービスは、ページング遅延に対してより敏感である。ページメッセージは、各サービスのためのページング遅延要件を達成するように送られ得る。
【００３３】
３つの目標は、しばしば互いに対立する。一般に、無線デバイスは、個別のページメッセージを受信することを好み、これは、バッテリ寿命を保護することができる。基地局は、同じページメッセージを同じページング領域内の少なくとも２つの無線デバイスに送らなければならないときは必ず、グループページメッセージを送信することを好み、これは資源を節約することができる。
【００３４】
テーブル１は、ページメッセージを無線デバイスへ送る種々の方式を一覧表示している。テーブル１内の第２および第３の列は、インジケータがＱＰＣＨ上で送られるやり方、およびページメッセージがＰＣＨ上で送られるやり方をそれぞれ要約している。これらの方式の各々は、さらに詳しく別途記載される。
【表１】
2007520979.tif 000003
【００３５】
ここでは、次の用語が使用されている。“割り当てられた”ＱＰＣＨスロットは、無線デバイスに割り当てられたＱＰＣＨスロットである。“指定された”ＱＰＣＨスロットは、所与のサービスのための使用に指定されたＱＰＣＨスロットである。“割り当てられた”ＰＣＨスロットは、無線デバイスに割り当てられたＰＣＨスロットである。“指定された”ＰＣＨスロットは、所与のサービスのための使用に指定されたＰＣＨスロットである。割り当てられたＱＰＣＨスロットは、ｃｄｍａ２０００において、割り当てられたＰＣＨスロットに１００ミリ秒先行する。指定されたＱＰＣＨスロットは、指定されたＰＣＨスロットに、１００ミリ秒または何か他の時間量分、先行し得る。一般に、ページメッセージは、無線デバイスのための割り当てられたＰＣＨスロット、またはサービスのための指定されたＰＣＨスロット、あるいはこの両者において送られ得る。指定されたＰＣＨスロットは、種々のやり方で選択され得る。
【００３６】
第１のスロット割り当ての実施形態では、サービスのための指定されたＰＣＨスロットは、次のように定められる。
【００３７】
１．同じＳＣＩをもつ全サービスのための指定されたＰＣＨスロットは、同じＰＣＨスロットの指標をもつ。
【００３８】
２．異なるＳＣＩをもつ任意の２つのサービスにおいて、より大きいＳＣＩをもつサービスのための指定されたＰＣＨスロットは、より小さいＳＣＩをもつサービスのための指定されたＰＣＨスロットと一致する。
【００３９】
制約１は、同じＳＣＩをもつ全サービスを、各スロットサイクルにおける同じＰＣＨスロットにマップする。制約２は、異なるＳＣＩをもつサービスのためのＰＣＨスロットをオーバーラップさせる。両者の制約１および２を用いると、各無線デバイスは、最小のＳＣＩの各スロットサイクル内の１つのＰＣＨスロットを処理し、全サービスのためのページメッセージを受信することができる。
【００４０】
図３Ａは、第１のスロット割り当ての実施形態における３つのサービスのための例示的なスロット割り当てを示している。この例において、サービスＡは、−２のＳＣＩをもち、４つのＰＣＨスロットをもつスロットサイクル内の第１のＰＣＨスロットの指標を割り当てられている。サービスＢは、−１のＳＣＩをもち、８個のＰＣＨスロットをもつスロットサイクル内の第１のＰＣＨスロットの指標を割り当てられている。サービスＣは、０のＳＣＩをもち、１６個のＰＣＨスロットをもつスロットサイクル内の第１のＰＣＨスロットの指標を割り当てられている。この例において、無線デバイスは、−２のＳＣＩの第１のＰＣＨスロットを処理し、全ての３つのサービスのためのページメッセージを受信することができる。
【００４１】
第２のスロット割り当ての実施形態では、異なるサービスが、異なるＰＣＨスロットの指標を割り当てられ得る。例として、ＳＣＩ＝０のサービスにおいて、スロットサイクル内には１６個の可能なＰＣＨスロット指標があり、各サービスは、例えば、サービスのためのＦＬＯＷ ＩＤに基づいて、１６個のスロット指標の中の１つにマップされ得る。マッピングは、ＳＣＩのためのスロット指標の全範囲よりも小さい、スロット指標のサブレンジ内に制限され得る。例えば、サービスは、スロット指標１ないし４にマップされ、スロット指標５ないし１６は、サービスに使用されない。サービスからスロット指標へのマッピングが、異なるサービス間の衝突の確率を最小化するために、時間において可変にされるとき、小さいサブレンジは、ページング遅延における変動を低減する。さらに加えて、ｙのＳＣＩをもつサービスは、より小さいＳＣＩの固定のスロット指標を表わすＳＣＩ＝ｙの異なるスロット指標にマップされ得る。例えば、ＳＣＩ＝０のサービスは、異なるスロットサイクル内の１、５、９、および１３のスロット指標にマップされ得る。これらの全ては、ＳＣＩ＝−２の固定のスロット指標に対応する。何れの場合においても、異なるサービスに異なるスロット指標を使用すると、これらのサービス間の衝突の確率を低減することができ、異なるＰＣＨスロット全体でページングロードを分散させることができる。しかしながら、多数のサービスを受信している無線デバイスは、これらのサービスの全てのページメッセージを受信するために、各スロットサイクル内の多数のＱＰＣＨスロットまたは多数のＰＣＨスロット、あるいはこの両者を処理する必要があり得る。
【００４２】
図３Ｂは、第２のスロット割り当ての実施形態における４つのサービスのための例示的なスロット割り当てを示している。この例において、サービスＡ’は、−２のＳＣＩをもち、４つのＰＣＨスロットをもつ３２０ミリ秒のスロットサイクル内の第１のＰＣＨスロットの指標を割り当てられている。サービスＢ’も−２のＳＣＩをもつが、３２０ミリ秒のスロットサイクル内の第２のＰＣＨスロットの指標を割り当てられている。サービスＣ’は、−２のＳＣＩをもち、６４０ミリ秒のスロットサイクル内の第３のＰＣＨスロットの指標を割り当てられている。サービスＤ’は、０のＳＣＩをもち、１．２８ミリ秒のスロットサイクル内の第４のＰＣＨスロットの指標を割り当てられている。この例において、４つのサービスのためのＰＣＨスロットは、互いにオーバーラップせず、衝突を避けることができる。
【００４３】
両者の実施形態において、各サービスは、異なるスロットサイクル内の固定のスロット指標にも、または異なるスロット指標にもマップされ得る。マッピングは静的であっても、または動的であってもよく、基地局および無線デバイスの両者に知られているアルゴリズムに基づいて行なわれ得る。
【００４４】
テーブル１における方式０は、ＱＰＣＨおよびＰＣＨを使用して、個別のページメッセージを無線デバイスへ送る。各無線デバイスは、無線デバイスが受信している各サービスのＳＣＩ（ＳＣＩ ｉ）と、無線デバイスのＳＣＩ（ＳＣＩ ｘ）とを含むＳＣＩの組を形成する。次に、無線デバイスは、ＳＣＩの組内の(ＳＣＩ ｓと呼ばれる)最小のＳＣＩを選択し、このＳＣＩにしたがって、ＱＰＣＨを監視する。基地局は、各サービスのためのシグナリングを、そのサービスを受信している全無線デバイスへ個別のページメッセージを送ることによって、送る。基地局は、サービスのＳＣＩ（ＳＣＩ ｉ）または無線デバイスによって選択されたＳＣＩ（ＳＣＩ ｓ）によって判断されるＰＣＨスロットにおいて、各無線デバイスのための個別のページメッセージを送り得る。なお、ＳＣＩ ｓは、ＳＣＩ ｉよりも小さくてもよい。各無線デバイスは、選択されたＳＣＩ ｓに対応する、割り当てられたＱＰＣＨスロット内のそれのＰＩビットを処理し、これらのＰＩビットがオンにされるとき、関係付けられたＰＣＨスロットをさらに処理し、ページメッセージを受信する。
【００４５】
図４は、方式０におけるＱＰＣＨおよびＰＣＨ上での例示的な送信を示している。この例において、４つの無線デバイス１ないし４は、−２のＳＣＩをもち、３２０ミリ秒のスロットサイクル(または４つのＰＣＨスロット)をもつ。無線デバイス１および２の両者は、スロットサイクル内の第１のＰＣＨスロットの指標を割り当てられ、無線デバイス３は、第２のＰＣＨスロットの指標を割り当てられ、無線デバイス４は、第３のＰＣＨスロットの指標を割り当てられている。基地局は、割り当てられたＰＣＨスロットにおいて、個別のページメッセージを各無線デバイスへ送る。基地局は、ＰＣＨ上でページメッセージを受信する各無線デバイスのためのＰＩビットをオンにする。各無線デバイスのためのＰＩビットは、図４のＱＰＣＨスロット内の垂直線によって示されており、垂直線上に示された数字は無線デバイスの識別子を示している。無線デバイスは、それのＰＩビットがオンにされると、ゼロ、１つ、または多数のページメッセージを受信し得る。無線デバイス(例えば、図４における無線デバイス２)は、多数のサービスのための多数のメッセージ、または異なるタイプの情報(例えば、ページメッセージ、オーバーヘッドメッセージ、等)も受信し得る。
【００４６】
方式０は、ＰＩビットおよびページメッセージが無線デバイスへ特定的に送られるので、各無線デバイスがＱＰＣＨおよびＰＣＨを処理する必要のある回数を最小化する。しかしながら、同じページメッセージが、同じサービスを受信している異なる無線デバイスに、多数回送られ得る。とくに、多数のユーザがサービスを受信しているときは、多くのシステム資源が、個別のページメッセージを送るために費やされ得る。
【００４７】
方式１Ａないし１Ｅは、ＱＰＣＨおよびＰＣＨを使用して、グループページメッセージを無線デバイスへ送る。これらの方式において、ＰＩビットは、無線デバイスへ個別に送られ、したがって、無線デバイスは、ＰＣＨ上で送られる同じグループページメッセージを受信する。
【００４８】
方式１Ａは、少なくとも１つの無線デバイスがページメッセージを受信することを意図されている各ＰＣＨスロットにおいて、(個別のページメッセージではなく)グループページメッセージが送られることを除いて、方式０と同じやり方で動作する。各無線デバイスは、各割り当てられたＱＰＣＨスロット内のそれのＰＩビットを通常のやり方で監視する。ＰＩビットがオンにされると、無線デバイスは、ＰＣＨを処理し、無線デバイスによって受信されるサービスのために送られたグループページメッセージ、および無線デバイスのために特定的に送られた個別のページメッセージを探す。
【００４９】
図５は、方式１ＡにおけるＱＰＣＨおよびＰＣＨ上での例示的な送信を示している。図４において既に記載されたように、基地局は、４つの無線デバイス１ないし４のためのＰＩビットをオンにする。基地局は、グループページメッセージを各ＰＣＨスロットにおいて、少なくとも１つの無線デバイスをそのＰＣＨスロットに割り当てて送る。グループページメッセージは、図５において文字“Ｇ”によって示されている。基地局は、グループページメッセージと共に、(例えば、図５におけるスロットｎ＋４における無線デバイス２のための)個別のページメッセージも送り得る。各無線デバイスは、それのＰＩビットがオンにされるときは必ず、割り当てられたＰＣＨスロットを処理し、その無線デバイスのために送られた個別の、およびグループページメッセージを探す。
【００５０】
方式１Ｂは、ＱＰＣＨ上で個別のＰＩビットを通常のやり方で送り、指定されたＰＣＨスロット内でグループページメッセージを送る。各サービスは、各スロットサイクル内の特定のＰＣＨスロットにマップされ、これは、指定されたＰＣＨスロットまたはグループページスロットと呼ばれる。各サービスのための指定されたＰＣＨスロットは、基地局と、そのサービスを受信している無線デバイスとの両者によって知られている。各サービスを受信している全無線デバイスが、それらのＰＩビットを受信する機会を得た後で、そのサービスのためのグループページメッセージが、そのサービスのための指定されたＰＣＨスロットにおいて送られる。
【００５１】
図６は、方式１ＢにおけるＱＰＣＨおよびＰＣＨ上での例示的な送信を示している。この例において、サービスは、各スロットサイクル内の最後のＰＣＨスロットにマップされる。図４において既に記載されているように、基地局は、割り当てられたＱＰＣＨスロット内の、４つの無線デバイス１ないし４のためのＰＩビットをオンにする。基地局は、各スロットサイクル内の指定されたＰＣＨスロットにおいて、１つのグループページメッセージを送る。各無線デバイスは、各割り当てられたＱＰＣＨスロット内のそれのＰＩビットを通常のやり方で処理する。ＰＩビットがオンにされると、無線デバイスは、指定されたＰＣＨスロットをさらに処理し、無線デバイスによって受信されているサービスのために送られたグループページメッセージを探す。
【００５２】
基地局は、さらに加えて、無線デバイスのための個別のページメッセージを、グループページメッセージと共に、同じ指定されたＰＣＨスロットにおいて送り得る。図６に示されている例では、基地局は、ＰＣＨスロットｎ＋７において、グループページメッセージの後で、無線デバイス２への個別のページメッセージを送る。これは、各無線デバイスが処理する必要のあるＰＣＨスロット数を最小化する。その代わりに、基地局は、無線デバイスへの個別のページメッセージを、それらの割り当てられたＰＣＨスロットにおいて送ってもよい。これは、異なるＰＣＨスロット全体においてページングロードを分散させる。
【００５３】
方式１Ｂにおいて、可能な限り最長のページング遅延は、２スロットサイクルである。これを理解するために、基地局が、時間Ｔａにおいて、無線デバイスへ送る情報を得る場合を検討する。基地局は、無線デバイス１および２のための割り当てられたＱＰＣＨスロットを失ったばかりであり、その後で、(時間Ｔｂにおける)次のスロットサイクル内の割り当てられたＱＰＣＨスロットまで待って、これらの無線デバイスのためのＰＩビットを送る必要があるであろう。次に、基地局は、指定されたＰＣＨスロット内のグループページメッセージを無線デバイスへ時間Ｔｃにおいて送り得る。この最悪のシナリオのためのページング遅延は、時間Ｔａから時間Ｔｃまでであり、これは約２スロットサイクルである。割り当てられたＱＰＣＨスロットにおいてＰＩビットを、指定されたＰＣＨスロットにおいてグループページメッセージを送ることは、最悪の場合のページング遅延を事実上２倍にする。
【００５４】
方式１Ｃは、ＱＰＣＨ上で個別のＰＩビットを通常のやり方で送り、各スロットサイクル内の２つ以上の指定されたＰＣＨスロットにおいて、グループページメッセージを送る。各サービスは、各スロットサイクル内の多数(例えば、２つ)のＰＣＨスロットにマップされる。多数の指定されたＰＣＨスロットは、スロットサイクル全体で（例えば、均等に）分散され得る。各サービスのための指定されたＰＣＨスロットの位置は、サービスのための実際のＳＣＩよりも小さなＳＣＩであっても、方式１Ｂにおいて既に記載されたやり方で判断され得る。各サービスにおいて、同じグループページメッセージは、スロットサイクルのための全ての指定されたＰＣＨスロットにおいて送られる。
【００５５】
図７は、方式１ＣにおけるＱＰＣＨおよびＰＣＨ上での例示的な送信を示している。この例において、サービスは、各３２０ミリ秒のスロットサイクル内の第２の、および最後のＰＣＨスロットにマップされる。図４において既に記載したように、基地局は、４つの無線デバイス１ないし４のための、それらの割り当てられたＱＰＣＨスロット内の、ＰＩビットをオンにする。基地局は、各スロットサイクルのための２つの指定されたＰＣＨスロットにおいて同じグループページメッセージを送る。各無線デバイスは、各割り当てられたＱＰＣＨスロット内のそれのＰＩビットを通常のやり方で処理する。ＰＩビットがオンにされると、無線デバイスは、割り当てられたＱＰＣＨスロットに最も近い指定されたＰＣＨスロットをさらに処理し、無線デバイスによって受信されているサービスのために送られたグループページメッセージを探す。
【００５６】
基地局は、さらに加えて、無線デバイスのための割り当てられたＰＣＨスロットに最も近い指定されたＰＣＨスロットにおいて、各無線デバイスのための個別のページメッセージを送り得る。図７に示されている例では、基地局は、ＰＣＨスロットｎ＋５において、グループページメッセージの後に、無線デバイス２への個別のページメッセージを送る。その代わりに、基地局は、割り当てられたＰＣＨスロットにおいて、無線デバイスへの個別のページメッセージを送ってもよい。
【００５７】
方式１Ｃは、同じページメッセージを多数回送ることによって、ページング遅延を低減する。無線デバイスのための個別のページメッセージが指定されたＰＣＨスロットにおいて送られるとき、方式１Ｃは、さらに加えて、順方向リンク上のページングロードを分散する。幾つかのページメッセージが無線デバイスからの応答を要求するので、方式１Ｃは、逆方向リンク上のローディングを拡散することができる。
【００５８】
方式１Ｄは、指定されたＰＣＨスロットと関係付けられた指定されたＱＰＣＨスロット上で個別のＰＩビットを送り、各スロットサイクル内の１つの指定されたＰＣＨスロットにおいてグループページメッセージを送る。各サービスは、方式１Ｂにおいて既に記載されたように、各スロットサイクル内の１つのＰＣＨスロットにマップされる。しかしながら、割り当てられたＱＰＣＨスロットにおいて、各無線デバイスのためのＰＩビットを送るのではなく、全無線デバイスのためのＰＩビットが、指定されたＰＣＨスロットと関係付けられた１つの指定されたＱＰＣＨスロットにおいて送られる。
【００５９】
図８は、方式１ＤにおけるＱＰＣＨおよびＰＣＨ上での例示的な送信を示している。この例において、サービスは、各３２０ミリ秒のスロットサイクル内の最後のＰＣＨスロットにマップされる。各スロットサイクルにおいて、未決定のグループページメッセージがあるとき、基地局は、指定されたＱＰＣＨスロット内の４つの全無線デバイス１ないし４のためのＰＩビットをオンにする。次に、基地局は、指定されたＰＣＨスロットにおいてグループページメッセージを送る。各無線デバイスは、指定されたＱＰＣＨスロット内のそれのＰＩビットを通常のやり方で処理する。ＰＩビットがオンにされると、無線デバイスは、指定されたＰＣＨスロットをさらに処理し、無線デバイスによって受信されているサービスのために送られたグループページメッセージを探す。
【００６０】
基地局は、それぞれ、指定されたＱＰＣＨスロットおよび指定されたＰＣＨスロットにおいて、ＰＩビットおよびサービスのためのグループページメッセージを送り得る。図８に示されているように、基地局は、指定されたＰＣＨスロットにおいて、各無線デバイスのための個別のページメッセージも送り得る。この場合に、無線デバイスは、ＰＩビットのための指定されたＱＰＣＨスロットのみを処理する必要があり、これは、各無線デバイスが起きる必要のあるＱＰＣＨスロットの数を最小化する。その代わりに、基地局は、無線デバイスへの個別のページメッセージを、割り当てられたＰＣＨスロットにおいて送ってもよく、これは異なるＰＣＨスロット全体においてページングロードを分散させる。この場合に、無線デバイスは、ＰＩビットのための指定された、および割り当てられたＱＰＣＨスロットを処理し、ＰＩビットがオンにされたときに、関係付けられたＰＣＨスロットをさらに処理する。
【００６１】
方式１Ｅは、指定されたＰＣＨスロットと関係付けられた指定されたＱＰＣＨスロット上で個別のＰＩビットを送り、各スロットサイクル内の多数の指定されたＰＣＨスロットにおいてグループページメッセージを送る。各サービスは、方式１Ｃにおいて既に記載されたように、各スロットサイクル内の多数のＰＣＨスロットにマップされる。これらの多数の指定されたＰＣＨスロットは、多数の指定されたＱＰＣＨスロットと関係付けられる。各無線デバイスのためのＰＩビットは、無線デバイスのための割り当てられたＱＰＣＨスロットに最も近い指定されたＱＰＣＨスロットにおいて送られる。
【００６２】
図９は、方式１ＥにおけるＱＰＣＨおよびＰＣＨ上での例示的な送信を示している。この例において、サービスは、各３２０ミリ秒のスロットサイクル内の第２、および最後のＰＣＨスロットにマップされる。各スロットサイクルにおいて、基地局は、第１の指定されたＱＰＣＨスロット内の無線デバイス１、２、および３のためのＰＩビットをオンにし、第２の指定されたＱＰＣＨスロット内の無線デバイス４のためのＰＩビットをオンにする。基地局は、２つの指定されたＰＣＨスロットにおいて同じグループページメッセージを送る。各無線デバイスは、その無線デバイスに適切な指定されたＱＰＣＨスロット内の、それのＰＩビットを処理する。ＰＩビットがオンにされると、無線デバイスは、指定されたＰＣＨスロットをさらに処理し、無線デバイスによって受信されているサービスのために送られたグループページメッセージを探す。
【００６３】
単純化のために、図４ないし９は、ＰＩビット、および１つのサービスのためのページメッセージの送信を示している。任意の数のサービスのためのページメッセージは、同様のやり方で送られ得る。
【００６４】
方式０、および１Ａないし１Ｅは、個別の無線デバイスのためのＰＩビットをオンにし、これらの無線デバイスに、ＰＣＨ上の未決定のページメッセージについて知らせる。したがって、基地局は、サービスと、これらのサービスを受信している無線デバイスとの間のマッピングを必要とする。所与のサービスのためのページメッセージを送るために、基地局は、先ず、サービスを受信している無線デバイスの全てを識別する。次に、基地局は、これらの無線デバイスのためのＰＩビットの位置を判断し、これらのＰＩビットをオンにする。ＲＡＮは、サービスと無線デバイスとの間のこのマッピングにアクセスしなくてよい(例えば、このマッピングは、加入マネージャ134において位置し得る)。この場合に、基地局は、サービスのために送るページメッセージがあるとき、何れのＰＩビットをオンにするかを知らないであろう。
【００６５】
ＢＩビットは、ＰＣＨ上の未決定のページメッセージについて、無線デバイスに知らせるために使用され得る。各サービスはＢＩビットにマップされ、マッピングは、基地局と、サービスを受信している無線デバイスとの両者によって知られている。基地局は、サービスのための未決定のページメッセージがあるときは必ず、ＢＩビットをオンにする。ＢＩビットを使用すると、（１）サービスと無線デバイスとのマッピングの必要が無くなり、（２）ページメッセージのために送るＱＰＣＨのインジケータの数を低減することができる。
【００６６】
方式２は、グループページメッセージを知らせるためにＢＩビットを送り、指定されたＰＣＨスロットにおいてグループページメッセージを送る。方式２では、サービスのためのＢＩビットおよび無線デバイスのためのＰＩビットは、ＱＰＣＨスロット内の異なるビット位置において送られ、オーバーラップしない。各サービスは、各スロットサイクル内の１つのＰＣＨスロットにマップされる。第１のスロット割り当ての実施形態において既に記載されたように、異なるサービスは、オーバーラップしているＰＣＨスロットにマップされ、各無線デバイスが処理することを必要とするスロット数を最小化し得る。しかしながら、ｃｄｍａ２０００の改訂Ｄによって定められているＢＩビットの数は制限されているので(９６００ｂｐｓに対して８ＢＩビット、および４８００ｂｐｓに対して４ＢＩビット)、第２のスロット割り当ての実施形態において既に記載されているように、異なるサービスが、(例えば、ＦＬＯＷ ＩＤに基づいて)異なるＰＣＨスロットにマップされ、衝突の可能性を低減する。
【００６７】
各サービスは、ｃｄｍａ２０００の改訂Ｄによって定められた１対のＢＩビットにもマップされる。このマッピングは、(例えば、ＦＬＯＷ ＩＤを使用して)ハッシュ関数に基づくことができ、その結果、各サービスは、異なるスロットサイクル内の異なる対のＢＩビットにマップされ、他のサービスとの衝突の確率を低減する。各サービスにおいて、サービスのための送るグループページメッセージがあるときに、サービスのためにＢＩビットはオンにされ、グループページメッセージは、指定されたＰＣＨスロットにおいて送られる。
【００６８】
図１０は、方式２におけるＱＰＣＨおよびＰＣＨ上での例示的な送信を示している。この例において、Ｇ１およびＧ２として示されている２つのサービスは、−２のＳＣＩおよび３２０ミリ秒のスロットサイクルをもつ。これらのサービスの両者は、各スロットサイクル内の第１のＰＣＨスロットにマップされ、同じ対のＢＩビットもマップされる。基地局は、各指定されたＱＰＣＨスロット内のＢＩビットを、対応する指定されたＰＣＨスロット内に、任意のサービスのために送るグループページメッセージがあるときに、オンにする。図１０に示されている例では、基地局は、ＰＣＨスロットｎのためのＢＩビットをオンにし、このＰＣＨスロットにおいて、サービスＧ１のためのグループページメッセージを送る。基地局は、ＰＣＨスロットｎ＋４のためのＢＩビットをオンにして、このＰＣＨスロットにおいて、サービスＧ１およびＧ２のためのグループページメッセージを送る。基地局は、ＰＩビットもオンにし、無線デバイスのための割り当てられたＰＣＨスロットにおいて個別のページメッセージを通常のやり方で送る。
【００６９】
各無線デバイスは、その無線デバイスによって受信されているサービスの全てのためのＢＩビットを処理する。ＢＩビットがオンにされるときは必ず、無線デバイスは、ＰＣＨを処理し、無線デバイスによって受信されているサービスのために送られたグループページメッセージを探す。各無線デバイスは、それのＰＩビットも通常のやり方で処理し、これらのＰＩビットがオンにされるときは必ず、ＰＣＨを処理し、無線デバイスのために送られた個別のページメッセージを探す。図１０に示されている例では、無線デバイス１は、ＰＣＨスロットｎにおいて個別のページメッセージを受信し、無線デバイス４は、ＰＣＨスロットｎ＋６において個別のページメッセージを受信する。
【００７０】
方式３は、グループページメッセージを知らせるための‘仮想の’ＢＩビットを送り、指定されたＰＣＨスロットにおいてグループページメッセージを送る。仮想のＢＩビットは、ＰＩビットに使用された位置において送られ得る。各サービスは、各スロットサイクル内の１つのＰＣＨスロットにマップされ、１対の仮想のＢＩビットもマップされる。各サービスのための仮想のＢＩビットは、各無線デバイスのためのＰＩビットと同様のやり方で(例えば、ＦＬＯＷ ＩＤに基づいて)、ビットごとに、さらにスロットごとに、異なる位置へハッシュされ得る。したがって、異なるサービスのための仮想のＢＩビットは、ＱＰＣＨスロット全体に拡散される。各サービスのための仮想のＢＩビットのマッピングは、基地局と、そのサービスを受信している無線デバイスとの両者によって知られている。各サービスにおいて、サービスのための仮想のＢＩビットは、サービスのために送るグループページメッセージがあるときに、オンにされ、グループページメッセージは、指定されたＰＣＨスロットにおいて送られる。
【００７１】
図１１は、方式３のためのＱＰＣＨおよびＰＣＨ上での例示的な送信を示している。この例において、２つのサービスＧ１およびＧ２は、それぞれ、各スロットサイクル内の第１および第２のＰＣＨスロットにマップされる。サービスのために送るグループページメッセージがあるときに、基地局は、各サービスのためのＢＩビットをオンにする。図１１に示されている例において、基地局は、ＰＣＨスロットｎ内のサービスＧ１のためのＢＩビットをオンにし、このＰＣＨスロットにおいて、このサービスのためのグループページメッセージを送る。基地局は、ＰＣＨスロットｎ＋１内のサービスＧ２のためのＢＩビットをオンにし、このＰＣＨスロットにおいて、サービスＧ２のためのグループページメッセージを送る。基地局はＰＩビットもオンにし、無線デバイスのための割り当てられたＰＣＨスロットにおいて、個別のページメッセージを送る。
【００７２】
仮想のＢＩビット数は、ｃｄｍａ２０００の改訂Ｄによって定められているＢＩビット数よりも相当に多い。仮想のＢＩビットの使用は、異なるサービス間の衝突の確率を低減する。各サービスのための仮想のＢＩビットのハッシングは、無線デバイスのためのＰＩビットおよび他のサービスのためのＢＩビットとの衝突をランダム化する。衝突の確率がより低くなると、衝突による、ＰＣＨのための誤りの起動を低減する。しかしながら、各無線デバイスは、無線デバイスによって受信されている各サービスのための仮想のＢＩビットを処理する必要があるであろう。全サービスのための仮想のＢＩビットが、所与のＱＰＣＨスロット全体で拡散され得るので、無線デバイスは、仮想ＢＩビット間でスリープできないことがある。
【００７３】
方式４は、方式２に類似しているが、（１）使用可能なＢＩビット数を増加して、衝突の確率を低減することと、（２）これらのＢＩビットを近い時間に一緒に置き、無線デバイスが、所与のＱＰＣＨスロットにおいて多数回起きる必要なしに、適切なＢＩビットの全てを受信できるようにすることとが異なる。方式４において、サービスのためのＢＩビットと、無線デバイスのためのＰＩビットとは、ＱＰＣＨスロット内の異なるビット位置において送られ、オーバーラップしない。各サービスは、各スロットサイクル内の１つのＰＣＨスロットにマップされ、１対のＢＩビットもマップされる。サービス数が、使用可能なＢＩビット数以下であるときは、各サービスは、異なる固有の対のＢＩビットにマップされ、衝突を避けることができる。サービス数が使用可能なＢＩビット数よりも多いときは、各サービスは、異なるスロット内の異なるＢＩビットにハッシュされ(ここで、ハッシングは、所与のＱＰＣＨスロットにおいて２ＢＩビット異なる)、他のサービスとの衝突をランダム化する。何れの場合においても、より多くの使用可能なＢＩビットをもつと、サービス中の衝突の確率を低減する。各サービスのＢＩビットは、サービスのために送るグループページメッセージがあるときは、オンにされ、グループページメッセージは、指定されたＰＣＨスロットにおいて送られる。
【００７４】
図１２は、方式４におけるＱＰＣＨおよびＰＣＨ上での例示的な送信を示している。この例において、２つのサービスＧ１およびＧ２は、方式２において既に記載されている。基地局は、各サービスのＢＩビットを、そのサービスのために送るグループページメッセージがあるときに、オンにする。図１２に示されている例において、基地局は、ＰＣＨスロットｎ内のサービスＧ２のためのＢＩビットをオンにし、このＰＣＨスロットにおいてこのサービスのためのグループページメッセージを送る。基地局は、ＰＣＨスロットｎ内のサービスＧ１のためのＢＩビットをオフにし、このサービスを受信している無線デバイスは、このサービスのためにＰＣＨを処理する必要はない。基地局は、ＰＣＨスロットｎ＋４内のサービスＧ１およびＧ２のためのＢＩビットをオンにし、このＰＣＨスロットにおいてこれらのサービスのためのグループページメッセージを送る。基地局は、ＰＩビットもオンにし、無線デバイスのための割り当てられたＰＣＨスロットにおいて個別のページメッセージを送る。全サービスのＢＩビットが互いに近いので、各無線デバイスは、１回の起動で、受信されたこれらのＢＩビットを処理することができる。各無線デバイスは、その無線デバイスによって受信されているサービスの何れかのためのＢＩビットが、オンにされるときのみ、ＰＣＨを処理する。
【００７５】
使用可能なＢＩビット数は、一定であっても、予想数のサービス、望ましい衝突率、および／または他の要因に基づいて選択されてもよい。例えば、１０、２０、または何かの他の数のＢＩビットが、各指定されたＱＰＣＨスロットに対して定められ得る。使用可能なＢＩビット数は、実際のサービス数または他の要因、あるいはこの両者に基づいても、調整可能であり得る。何れの場合においても、無線デバイスは、使用可能なＢＩビット数、これらのＢＩビットの位置、および各サービスがマップする特定のＢＩビットについての知識をもつ。
【００７６】
サービスのためのＢＩビットは、無線デバイスのためのＰＩビットよりも、オンにされるより高い可能性をもち得る。ＰＩビットとＢＩビットとの衝突を避けるために、無線デバイスのためのＰＩビットは、ＢＩビットに使用されていない位置へマップされ得る。例えば、ＰＩビットをマップするのに使用されるハッシュ関数は、ＢＩビットの位置を選択するのを避けるように変更され得る。
【００７７】
方式５は、方式１Ａ、１Ｄ、および１Ｅの一般化である。方式５において、相対的なスロットサイクルの指標(ＳＣＩｒｅｌ)は、ＱＰＣＨのＳＣＩと有効なＰＣＨのＳＣＩとの間の差として定められる。ＱＰＣＨのＳＣＩは、所与の無線デバイスのためのＰＩビットを送るためのＳＣＩである。有効なＰＣＨのＳＣＩは、サービスのためのグループページメッセージを送るためのＳＣＩである。図４に示されている例では、各無線デバイスのためのＰＩビットが−２のＱＰＣＨのＳＣＩで（または、４つのＱＰＣＨスロットごとに）送られ、グループページメッセージが−４のＰＣＨのＳＣＩ（または、全てのＰＣＨスロット）で送られるので、方式１Ａにおける相対的なＳＣＩは、ＳＣＩｒｅｌ＝ＳＣＩ＋２である。図８に示されている例では、方式１Ｄにおける相対的なＳＣＩは、ＳＣＩｒｅｌ＝０である。図９に示されている例では、方式１Ｅにおける相対的なＳＣＩは、ＳＣＩ＋２≧ＳＣＩｒｅｌ≧０である。他の例は、異なる相対的なＳＣＩをもち得る。相対的なＳＣＩの好適な選択は、例えば、マルチキャスト／ブロードキャストサービスと音声サービスとのためのスロットサイクル間の差、マルチキャスト／ブロードキャストおよび音声サービスと関係付けられる相対的なページングロード、等のような、種々の要因に依存する。
【００７８】
図１３Ａは、ＰＩビットおよびグループページメッセージを使用して、マルチキャストおよびブロードキャストサービスのためのシグナリングを送信するプロセス1300を示している。プロセス1300は、方式１Ａないし１Ｅにおいて使用され得る。最初に、基地局は、サービスのために送るシグナリングを受信する(ブロック1312)。基地局は、サービスを受信している全無線デバイスを識別し、これらの無線デバイスのためのＰＩビットの位置を判断する(ブロック1314)。基地局は、(方式１Ａ、１Ｂ、および１Ｃにおける)これらの無線デバイスのための割り当てられたＱＰＣＨスロット、または(方式１Ｄおよび１Ｅにおける)サービスのための指定されたＱＰＣＨスロット、あるいはこの両者において、これらのＰＩビットをオンにする（ブロック1316）。次に、基地局は、(方式１Ａにおいて)これらの無線デバイスのための割り当てられたＰＣＨスロット、または(方式１Ｂ、１Ｃ、１Ｄ、および１Ｅにおいて)サービスのための指定されたＰＣＨスロット、あるいはこの両者においてグループページメッセージを送信する（ブロック1318）。
【００７９】
図１３Ｂは、ＢＩビットおよびグループページメッセージを使用して、マルチキャストおよびブロードキャストサービスのためのシグナリングを送信するプロセス1350を示している。プロセス1350は、方式２ないし４において使用され得る。最初に、基地局は、サービスのために送るシグナリングを受信する(ブロック1352)。次に、基地局は、このサービスのためのＢＩビットの位置を判断する(ブロック1354)。既に記載されたように、サービスは、異なる方式において異なるＢＩビット位置へマップされ得る。基地局は、サービスのための指定されたＱＰＣＨスロット内のこれらのＢＩビットをオンし（ブロック1356）、次に、サービスのための指定されたＰＣＨスロットにおいてグループページメッセージを送信する(ブロック1358)。
【００８０】
図１４Ａは、ＰＩビットおよびグループページメッセージを使用して、マルチキャストおよびブロードキャストサービスのためのシグナリングを受信するプロセス1400を示している。プロセス1400は、方式１Ａないし１Ｅにおいて使用され得る。最初に、無線デバイスは、それのＰＩビットの位置を判断する(ブロック1412)。次に、無線デバイスは起きて、(方式１Ａ、１Ｂ、および１Ｃにおいて)割り当てられたＱＰＣＨスロット、または(方式１Ｄおよび１Ｅにおいて)受信されているサービスのための指定されたＱＰＣＨスロット、あるいはこの両者内のこれらのＰＩビットを処理する(ブロック1414)。次に、ＰＩビットがオンにされるかどうかを判断する(ブロック1416)。答えが‘イエス’であるときは、無線デバイスは、（方式１Ａにおいて）無線デバイスのための割り当てられたＰＣＨスロット、または(方式１Ｂ、１Ｃ、１Ｄ、および１Ｅにおいて)受信されているサービスのための指定されたＰＣＨスロット、あるいはこの両者におけるＰＣＨを処理する(ブロック1418)。無線デバイスは、サービスのために送られるグループページメッセージ、および無線デバイスのための個別のページメッセージを探す。ブロック1416の答えが‘ノー’であるとき、およびブロック1418の後で、無線デバイスは、それが、ＱＰＣＨを処理するために、次に起きるべきときを判断する(ブロック1420)。次に、無線デバイスは、この時までスリープする(ブロック1422)。
【００８１】
図１４Ｂは、ＢＩビットおよびグループページメッセージを使用して送られるマルチキャストおよびブロードキャストサービスのためのシグナリングを受信するプロセス1450を示している。プロセス1450は、方式２ないし４において使用され得る。最初に、無線デバイスは、無線デバイスによって受信されているサービスのためのＢＩビットの位置を判断する(ブロック1452)。次に、無線デバイスは起きて、これらのサービスのための次の指定されたＱＰＣＨスロット内の、これらのＢＩビットを処理する(ブロック1454)。次に、ＢＩビットがオンにされるかどうかが判断される(ブロック1456)。答えが‘イエス’であるときは、無線デバイスは、指定されたＰＣＨスロットにおけるＰＣＨを処理し、無線デバイスによって受信されているサービスのために送られたグループページメッセージを探す(ブロック1458)。ブロック1456に対する答えが‘ノー’であるとき、およびブロック1458の後で、無線デバイスは、それが、ＱＰＣＨを処理するために、次に起きるべきときを判断する(ブロック1460)。次に、無線デバイスは、この時までスリープする(ブロック1462)。無線デバイスは、指定された、または割り当てられた、あるいはこの両者のＱＰＣＨスロット内の、それのＰＩビットも処理し、指定された、または割り当てられた、あるいはこの両者のＰＣＨスロットのためのＰＣＨを処理し、無線デバイスのために送られた個別のページメッセージを探し得る。
【００８２】
上述において、ＱＰＣＨのインジケータを送り、マルチキャストおよびブロードキャストサービスのためのページメッセージを送るための種々の方式が記載された。使用する個々の方式が、例えば、支援されるサービス数、これらのサービスのためのページング要件、これらのサービスを受信する無線デバイスの数、これらの無線デバイスの分布、ページング領域、サービスのためのページメッセージを送るのに使用可能な情報、システムのためのページングロード、システムの能力、等のような、種々の要因に基づいて選択され得る。
【００８３】
例えば、システムが、サービスと、これらのサービスを受信している無線デバイスとの間のマッピングをもつとき、方式５は良好な性能を与えることができ、使用され得る。所与のサービスのためのページメッセージを送るために、マッピングを使用して、何れの無線デバイスがページメッセージを送るかを判断する。これらの無線デバイスのためのＰＩビットが判断され、オンにされ、ページメッセージが、サービスのために選択された相対的なＳＣＩに基づいて、既に記載されたように送られる。方式５は、次の望ましい特徴をもつ。
【００８４】
１．新しいＰＣＨ／ＱＰＣＨ構造は不要であるが、ＱＰＣＨスロットからＰＣＨスロットへのマッピングは変更される。
【００８５】
２．サービスを受信していない無線デバイスのＰＩビットが、サービスによってオンにされないので、それらに対する重大な影響はない。
【００８６】
３．無線デバイスは、少なくとも１つのサービスを受信しているときは、指定されたＱＰＣＨスロットにおいて、何れのサービスも受信していないときは、割り当てられたＱＰＣＨスロットにおいて、または指定されたＱＰＣＨスロットと割り当てられたＱＰＣＨスロットの両者において、そのＰＩビットを受信し得る。
【００８７】
４．無線デバイスの実施コストは、小さい。
【００８８】
システムが、サービスと、これらのサービスを受信している無線デバイスとの間にマッピングをもっていないとき、方式４は良好な性能を与えることができ、使用され得る。所与のサービスのためのページメッセージを送るために、サービスのためのＢＩビットが判断され、オンにされ、ページメッセージは、サービスのための指定されたＰＣＨスロットにおいて送られる。方式４は、次の特徴をもつ。
【００８９】
１．新しいＱＰＣＨ構造は使用されるが、それは十分な後方互換性がある。
【００９０】
２．ＱＰＣＨ／ＰＣＨのマッピングが変更され、グループページメッセージに使用される指定されたＰＣＨスロットは、固定されていても、またはＦＬＯＷ ＩＤに基づいて選択されてもよい。
【００９１】
３．ＢＩビット数、およびＢＩビットへのサービスのマッピングが、(例えば、シグナリングによって)無線デバイスに知らされ、調整可能であり得る。
【００９２】
４．基地局は、（もし、あるならば）何れの無線デバイスが所与のサービスを受信しているかを知る必要がない。
【００９３】
上述の方式の多くにおいては、多数のサービスが同じＱＰＣＨのインジケータにマップし得る。そのような衝突が生じ、インジケータがオンにされるとき、何れのサービスがインジケータをオンにしたかを知り、ＰＣＨ上に未決定のページメッセージをもつことが望ましい。この情報が使用可能であるときは、インジケータをオンにしたサービスを受信している無線デバイスのみが、ＰＣＨを処理する必要があるであろう。他の全ての無線デバイスは、ＰＣＨの処理を飛ばし、直接にスリープすることができる。
【００９４】
ＱＰＣＨのインジケータは、ｃｄｍａ２０００におけるオン／オフキーイングを使用して送られる。(何れのサービスが、所与のインジケータをオンにしたかのような)追加情報は、オン／オフキーイングよりも、より高次の符号化／変調方式を使用することによって伝えられ得る。ｃｄｍａ２０００において、各ＱＰＣＨのインジケータは、９６００ｂｐｓのレートにおいて２つのシンボル、および４８００ｂｐｓのレートにおいて４つのシンボルからなる。一般に、所与のＱＰＣＨのインジケータのシンボルの全ては、オンまたはオフの何れかにされ得る。１つのインジケータは、９６００ｂｐｓのレートにおいて、“＋＋”として、４８００ｂｐｓのレートにおいて“＋＋＋＋”として表わされ得る。ここで、各“＋”は、適切な電力レベルで送信される１つのシンボルを表わす。
【００９５】
シンボルが送信されるとき、追加情報は、各シンボルを、標準の極性(“＋”)または逆の極性(“−”)の何れかをもつ各シンボルを送信することによって伝えられ得る。多数のインジケータ値が、シンボル値の異なる系列で定められ得る。次に、サービスは、異なるインジケータ値にマップされ得る。いくつかの例示的な符号化／変調方式を次に記載する。
【００９６】
９６００ｂｐｓのレートにおいて、サービスは、グループＡ、Ｂ、およびＣとして示されている３つのグループに配置され得る。グループＡは、シグナリング系列“＋−”によって表され、グループＢは、系列“−＋”によって表わされ、グループＣは、系列“−−”によって表わされ、２つ以上のグループＡ、Ｂ、およびＣの組合せは、系列“＋＋”によって表わされ得る。基地局は、ＱＰＣＨのインジケータのための系列“＋−”を送信し、グループＡのみにおけるサービスのためのページメッセージを送り、系列“−＋”を送信して、グループＢのみにおけるサービスのためのページメッセージを送り、系列“−−”を送信して、グループＣのみにおけるサービスのためのページメッセージを送り、系列“＋＋”を送信して、グループＡ、Ｂ、およびＣの任意の組合せにおけるサービスのためのページメッセージを送る。この符号化／変調方式を知っている新しい無線デバイスは、組合せる前にシンボルを適切に反転し、ＱＰＣＨのインジケータを正確に検出することができるであろう。この変調方式を知らないレガシーの無線デバイスは、単に２つの受信シンボルを組合せて、恐らくは、“＋−”、“−＋”、および“−−”の系列のためのオフのインジケータと、“＋＋”の系列のためのオンのインジケータとを検出するであろう。ページメッセージが、サービスのために頻繁に送られないときは、“＋＋”の系列は、可能性の低いイベントであり、レガシーの無線デバイスによる誤りの検出率も低い。
【００９７】
４８００ｂｐｓのレートにおいて、サービスは、７つのグループに配置され得る。８個の異なるシグナリング系列は、“＋＋＋＋”、“＋＋−−”、“＋−＋−”、“＋−−＋”、“−−−−”、“−−＋＋”、“−＋−＋”、および“−＋＋−”のように定められ得る。最後の７個の系列は、７個のグループに割り当てられ、ページメッセージが１つのみのグループのために送られるときは必ず、ＱＰＣＨのインジケータにおいて送られ得る。最初の系列“＋＋＋＋”は、２つ以上のグループのためのページメッセージが送られるときは必ず送られ得る。その代わりに、１６個の異なるシグナリング系列が、４つのシンボルにおける１６個の可能な値の組合せのために定められ得る。１５個の系列が１５個のグループに割り当てられ、ページメッセージが１つのみのグループのために送られるときは必ず、ＱＰＣＨのインジケータにおいて送られ得る。最初の系列“＋＋＋＋”は、ページメッセージが２つ以上のグループのために送られるときは必ず送られ得る。
【００９８】
ＱＰＣＨのインジケータのための幾つかの例示的な符号化／変調方式が、上述において記載された。他の符号化／変調方式もＱＰＣＨのインジケータに使用され得る。無線デバイスは、検出閾値を使用して、可能な値の何れが所与のインジケータのために送られたかを判断する。検出閾値は、失敗した検出および誤りの警報に関して、良好な検出の性能を達成するために設定され得る。
【００９９】
図１５は、衝突の可能性を低減するように、ＱＰＣＨのインジケータを送るプロセス1500を示している。最初に、少なくとも１ページのメッセージが送られることになる少なくとも１つのサービスが識別される(ブロック1512)。少なくとも１つのサービスに対応するインジケータ値が、多数の可能なインジケータ値の中から選択される(ブロック1514)。この選択は、既に記載したように形成され得るテーブルに基づき得る。次に、選択されたインジケータ値がＱＰＣＨ上で送信され、少なくとも１ページのメッセージが少なくとも１つのサービスのために送られていることを示す(ブロック1516)。
【０１００】
図１６は、基地局122xおよび無線デバイス110xの実施形態のブロック図を示している。基地局122xにおいて、符号器1610は、ページメッセージおよび他のメッセージのためのデータを受信し、受信データを処理する(例えば、符号化し、インターリーブし、シンボルマップする)。変調器1612は、種々のトラヒックおよび制御チャネル(例えば、ＱＰＣＨおよびＰＣＨ)のために、チャネル化、スペクトル拡散、スクランブリング、等を行ない、データチップのストリームを与える。送信機ユニット(ＴＭＴＲ)1614は、データチップを調整し(例えば、アナログに変換し、増幅し、フィルタにかけ、周波数アップコンバートし)、順方向リンク信号を生成し、それはアンテナ1616を介して送信される。
【０１０１】
無線デバイス110xにおいて、アンテナ1652は、基地局122xから順方向リンク信号を受信し、受信信号を受信機ユニット(ＲＣＶＲ)1654に与える。受信機ユニット1654は、受信信号を調整し(例えば、フィルタにかけ、増幅し、周波数ダウンコンバートし)、調整された信号をディジタル化し、データサンプルを与える。復調器(demodulator, Demod)1656は、データサンプルを処理し、シンボル推定値を与える。復調器1656は、制御装置1660によって指示されたように、ＱＰＣＨのインジケータの検出も行なう。復号器1658は、シンボル推定値を処理し(例えば、デマップし、デインターリーブし、復号し)、ページおよび他のメッセージのための復号されたデータを与える。
【０１０２】
制御装置1620および1660は、それぞれ、基地局122xおよび無線デバイス110xにおける動作を指示する。制御装置1620および1660は、それぞれ、送信および受信のシグナリングのための種々の機能も行ない得る。メモリユニット1622および1662は、それぞれ、制御装置1620および1660のためのデータおよびプログラムコードを記憶する。タイマ1664は、時間情報を与え、制御装置1660はそれを使用して、ＱＰＣＨおよびＰＣＨを処理するために起きるときを判断する。
【０１０３】
当業者には、情報および信号が、種々の異なる技術および技法の何れかを使用して表わされ得ることが分かるであろう。例えば、上述全体で参照され得るデータ、命令、コマンド、情報、信号、ビット、シンボル、およびチップは、電圧、電流、電磁波、磁界または磁性粒子、光学場または光学粒子、あるいはその任意の組合せによって表わされ得る。
【０１０４】
当業者は、本明細書に開示されている実施形態に関連して記載されている種々の例示的な論理ブロック、モジュール、回路、およびアルゴリズムのステップが、電子ハードウェア、コンピュータソフトウェア、または両者の組合せとして実施され得ることも分かるであろう。ハードウェアとソフトウェアとのこの互換性を明白に示すために、種々の例示的な構成要素、ブロック、モジュール、回路、およびステップは、それらの機能性に関して、上述で概ね記載された。このような機能がハードウェアとして実施されるか、またはソフトウェアとして実施されるかは、システム全体に課された個々の用途および設計の制約に依存する。熟練した技能をもつ者は、各個々の用途のために種々のやり方で、記載された機能性を実施し得るが、そのような実施の決定は、本発明の範囲からの逸脱を招くものとして解釈されるべきではない。
【０１０５】
本明細書において開示された実施形態に関連して記載された種々の例示的な論理ブロック、モジュール、および回路は、汎用プロセッサ、ディジタル信号プロセッサ（digital signal processor, DSP）、特定用途向け集積回路（application specific integrated circuit, ASIC）、フィールドプログラマブルゲートアレイ（field programmable gate array, FPGA）または他のプログラマブル論理デバイス、ディスクリートなゲートまたはトランジスタ論理、ディスクリートなハードウェア構成要素、あるいは本明細書に記載されている機能を実行するように設計された組合せで実施または実行され得る。汎用プロセッサは、マイクロプロセッサであってもよいが、その代わりに、プロセッサは、従来のプロセッサ、制御装置、マイクロ制御装置、または状態機械であってもよい。プロセッサは、コンピューティングデバイスの組合せ、例えば、１つのＤＳＰと１つのマイクロプロセッサとの組合せ、複数のマイクロプロセッサ、１つ以上のマイクロプロセッサと１つのＤＳＰのコアとの組合せ、または他のこのような構成としても実施され得る。
【０１０６】
本明細書に開示されている実施形態に関連して記載された方法またはアルゴリズムのステップは、ハードウェアにおいて、プロセッサによって実行されるソフトウェアモジュールにおいて、または２つの組合せにおいて直接的に具体化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、または当技術において知られている記憶媒体の何か他の形態の中に存在し得る。例示的な記憶媒体はプロセッサに接続され、プロセッサが記憶媒体から情報を読み出し、かつそこへ情報を書き込みことができるようにする。その代りに、記憶媒体は、プロセッサと一体構成であってもよい。プロセッサおよび記憶媒体は、ＡＳＩＣ内に存在し得る。ＡＳＩＣは、無線デバイスまたは基地局に存在し得る。その代りに、プロセッサおよび記憶媒体は、無線デバイスまたは基地局において、ディスクリートな構成要素として存在し得る。
【０１０７】
開示された実施形態のこれまでの記述は、当業者が本発明を作成または使用できるようにするために与えられている。当業者には、これらの実施形態に対する種々の変更は容易に明らかになり、本明細書に定められている一般的な原理は、本発明の意図および範囲から逸脱することなく、他の実施形態に適用され得る。したがって、本発明は、本明細書に示されている実施形態に制限されることを意図されず、本明細書に開示されている原理および新規な特徴に一致する最も幅広い範囲にしたがうことを意図されている。
【図面の簡単な説明】
【０１０８】
【図１】通信システムを示す図。
【図２Ａ】ｃｄｍａ２０００におけるＱＰＣＨおよびＰＣＨを示す図。
【図２Ｂ】ＱＰＣＨにおいて送られる異なるタイプのインジケータを示す図。
【図３Ａ】３つのサービスのためのオーバーラップしているスロット割り当てを示す図。
【図３Ｂ】４つのサービスのための互い違いに配置されたスロット割り当てを示す図。
【図４】方式０におけるＱＰＣＨおよびＰＣＨ上での例示的な送信を示す図。
【図５】方式１ＡにおけるＱＰＣＨおよびＰＣＨ上での、ＰＩビットおよびグループページメッセージを使用した例示的な送信を示す図。
【図６】方式１ＢにおけるＱＰＣＨおよびＰＣＨ上での、ＰＩビットおよびグループページメッセージを使用した例示的な送信を示す図。
【図７】方式１ＣにおけるＱＰＣＨおよびＰＣＨ上での、ＰＩビットおよびグループページメッセージを使用した例示的な送信を示す図。
【図８】方式１ＤにおけるＱＰＣＨおよびＰＣＨ上での、ＰＩビットおよびグループページメッセージを使用した例示的な送信を示す図。
【図９】方式１ＥにおけるＱＰＣＨおよびＰＣＨ上での、ＰＩビットおよびグループページメッセージを使用した例示的な送信を示す図。
【図１０】方式２におけるＱＰＣＨおよびＰＣＨ上での、ＢＩビットおよびグループページメッセージを使用した例示的な送信を示す図。
【図１１】方式３におけるＱＰＣＨおよびＰＣＨ上での、ＢＩビットおよびグループページメッセージを使用した例示的な送信を示す図。
【図１２】方式４におけるＱＰＣＨおよびＰＣＨ上での、ＢＩビットおよびグループページメッセージを使用した例示的な送信を示す図。
【図１３Ａ】ＰＩビットおよびグループページメッセージを使用してシグナリングを送信するプロセスを示す図。
【図１３Ｂ】ＢＩビットおよびグループページメッセージを使用してシグナリングを送信するプロセスを示す図。
【図１４Ａ】ＰＩビットおよびグループページメッセージを使用して送られるシグナリングを受信するプロセスを示す図。
【図１４Ｂ】ＢＩビットおよびグループページメッセージを使用して送られるシグナリングを受信するプロセスを示す図。
【図１５】ＱＰＣＨのインジケータを送信して、衝突を低減するプロセスを示す図。
【図１６】基地局および無線デバイスのブロック図。
【符号の説明】
【０１０９】
100・・・システム、110・・・無線デバイス、122・・・基地局、1300,1350,1400,1450,1500・・・プロセス。
【図１】
2007520979.tif 000004
【図２Ａ】
2007520979.tif 000005
【図２Ｂ】
2007520979.tif 000006
【図３Ａ】
2007520979.tif 000007
【図３Ｂ】
2007520979.tif 000008
【図４】
2007520979.tif 000009
【図５】
2007520979.tif 000010
【図６】
2007520979.tif 000011
【図７】
2007520979.tif 000012
【図８】
2007520979.tif 000013
【図９】
2007520979.tif 000014
【図１０】
2007520979.tif 000015
【図１１】
2007520979.tif 000016
【図１２】
2007520979.tif 000017
【図１３Ａ】
2007520979.tif 000018
【図１３Ｂ】
2007520979.tif 000019
【図１４Ａ】
2007520979.tif 000020
【図１４Ｂ】
2007520979.tif 000021
【図１５】
2007520979.tif 000022
【図１６】
2007520979.tif 000023
【国際調査報告】
2007520979.tif 000024
2007520979.tif 000025
2007520979.tif 000026
2007520979.tif 000027
2007520979.tif 000028
2007520979.tif 000029